【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
前面、背面、及び側面を含むハウジングと、
通信モードである時に信号を送信し、受信する、前記ハウジング内に配置された通信回路と、
カメラ・モードである時にイメージを選択的に取り込み、保管する、前記ハウジング内に配置されたカメラ用部品であって、ズーム機能を含む、カメラ用部品と、
イメージ・レビュー・モードで、保存されたイメージをディスプレイに表示するディスプレイと、
前記カメラ・モードである時に前記カメラ用部品の前記ズーム機能を制御し、前記通信モードである時に通信回路機能を制御し、前記イメージ・レビュー・モードで、選択された焦点を前記ディスプレイの中心に維持しながら、表示されるイメージをスケーリングする、前記ハウジングの前記側面の１つに配置された多機能制御ボタンと
を含む、組合せ移動体通信デバイス及びカメラ。
【請求項２】
前記多機能制御ボタンは、前記通信モードである時に前記通信回路の音量制御ボタンとして動作する、請求項１に記載の組合せ移動体通信デバイス及びカメラ。
【請求項３】
前記多機能制御ボタンは、さらに、前記カメラ・モードである時に前記カメラ用部品のシャッタ機能を制御する、請求項１に記載の組合せ移動体通信デバイス及びカメラ。
【請求項４】
前記多機能制御ボタンは、スライド制御ボタンを含む、請求項１に記載の組合せ移動体通信デバイス及びカメラ。
【請求項５】
前記多機能制御ボタンは、制御ダイヤルを含む、請求項１に記載の組合せ移動体通信デバイス及びカメラ。
【請求項６】
前記多機能制御ボタンは、多方向制御ボタンを含む、請求項１に記載の組合せ移動体通信デバイス及びカメラ。
【請求項７】
前記多方向制御ボタンは、選択オプションを含む、請求項６に記載の組合せ移動体通信デバイス及びカメラ。
【請求項８】
前記選択オプションは、前記カメラ・モードである時に前記カメラのシャッタ制御ボタンを活性化する、請求項７に記載の組合せ移動体通信デバイス及びカメラ。
【請求項９】
前記選択オプションは、前記カメラ・モードである時にイメージをメモリに保存する、請求項７に記載の組合せ移動体通信デバイス及びカメラ。
【請求項１０】
前記選択オプションは、前記通信回路を介する前記イメージの伝送を活性化する、請求項７に記載の組合せ移動体通信デバイス及びカメラ。
【請求項１１】
前記通信モード及び前記カメラ・モードを選択的に活性化するモード制御手段をさらに含む、請求項１に記載の組合せ移動体通信デバイス及びカメラ。
【請求項１２】
前記モード制御手段は、前記ハウジング上のキーパッドを介して選択されるメニュー・オプションを含む、請求項１１に記載の組合せ移動体通信デバイス及びカメラ。
【請求項１３】
前記モード制御手段は、前記ハウジングに配置された、モードを変更するトグル・ボタンを含む、請求項１１に記載の組合せ移動体通信デバイス及びカメラ。
【請求項１４】
前記モード制御手段は、前記ハウジングに配置された、前記カメラ・モード及び前記通信モードを選択的に活性化するスライド・スイッチを含む、請求項１１に記載の組合せ移動体通信デバイス及びカメラ。
【請求項１５】
前記モード制御手段は、前記カメラ・モード及び前記通信モードを選択的に活性化するために移動される移動可能構成要素の位置を検出する検出回路を含む、請求項１１に記載の組合せ移動体通信デバイス及びカメラ。
【請求項１６】
前記移動可能構成要素は、前記ハウジングの前記背面に配置されたカメラ・レンズを覆う、前記カメラ・モード及び前記通信モードを選択的に活性化するスライドするパネルを含む、請求項１５に記載の組合せ移動体通信デバイス及びカメラ。
【請求項１７】
前記スライドするパネルは、開かれた時に前記カメラ・モードを活性化し、閉じられた時に前記通信モードを活性化する、請求項１６に記載の組合せ移動体通信デバイス及びカメラ。
【請求項１８】
前記モード制御手段は、前記組合せ移動体通信デバイス及びカメラの方向を検出する方向センサを含む、請求項１１に記載の組合せ移動体通信デバイス及びカメラ。
【請求項１９】
前記モード制御手段は、前記方向センサが実質的に水平の方向を検出した時に前記カメラ・モードを活性化し、前記モード制御手段は、前記方向センサが実質的に垂直の方向を検出した時に前記通信モードを活性化する、請求項１８に記載の組合せ移動体通信デバイス及びカメラ。
【請求項２０】
前記多機能制御ボタンは、前記通信モードである時に、無線通信システムの表示画面の画面制御ボタンとして動作する、請求項１に記載の組合せ移動体通信デバイス及びカメラ。
【請求項２１】
前記カメラ・モードは、イメージ取込モード及びレビュー・モードを含む、請求項１に記載の組合せ移動体通信デバイス及びカメラ。
【請求項２２】
前記多機能制御ボタンは、前記イメージ取込モードで表示画面に表示される外部イメージのサイズを変更するように動作する、請求項２１に記載の組合せ移動体通信デバイス及びカメラ。
【請求項２３】
前記レビュー・モードにおいて、前記多機能制御ボタンは、表示画面に表示される保管されたイメージのサイズを変更するように動作する、請求項２１に記載の組合せ移動体通信デバイス及びカメラ。
【請求項２４】
前記多機能制御ボタンにおいて、前記通信モードである時に無線通信の品質を制御する品質制御ボタンとして動作する、請求項１に記載の組合せ移動体通信デバイス及びカメラ。
【請求項２５】
前記品質制御ボタンは、通信データ速度を制御する、請求項２４に記載の組合せ移動体通信デバイス及びカメラ。
【請求項２６】
前記品質制御ボタンは、通信変調技法を制御する、請求項２４に記載の組合せ移動体通信デバイス及びカメラ。
【請求項２７】
前記多機能制御ボタンは、前記通信モードである時に、前記通信回路のメニュー制御ボタンとして動作する、請求項１に記載の組合せ移動体通信デバイス及びカメラ。
【請求項２８】
前記ハウジングに配置されたシャッタ制御ボタンをさらに含む、請求項１に記載の組合せ移動体通信デバイス及びカメラ。
【請求項２９】
前記多機能制御ボタンは、前記カメラ・モードである時に、前記カメラ用部品のディジタル・ズーム機能として動作する、請求項１に記載の組合せ移動体通信デバイス及びカメラ。
【請求項３０】
前記多機能制御ボタンは、前記カメラ・モードである時に、前記カメラ用部品の光学ズーム機能として動作する、請求項１に記載の組合せ移動体通信デバイス及びカメラ。
【請求項３１】
ハウジング、通信回路、及びカメラ用部品を含む組合せ移動体通信デバイス及びカメラを制御する方法であって、
イメージ取込モード、イメージ・レビュー・モード、及び通信モードのうちの１つを選択的に活性化することと、
前記イメージ取込モードである時に、前記ハウジングに配置された多機能制御ボタンを、前記カメラ用部品のズーム制御ボタンとして使用することと、
前記通信モードである時に、前記多機能制御ボタンを、前記通信回路の通信機能を制御するのに使用することと、
前記イメージ・レビュー・モードである時に、前記多機能制御ボタンを、選択された焦点をディスプレイの中心に維持しながらイメージをスケーリングするのに使用することと、
を含む方法。
【請求項３２】
前記カメラ・モード及び前記通信モードのうちの１つを選択的に活性化することは、前記ハウジングに配置されたキーパッドを介してメニュー・オプションを選択することを含む、請求項３１に記載の方法。
【請求項３３】
前記カメラ・モード及び前記通信モードのうちの１つを選択的に活性化することは、前記ハウジングに配置されたトグル・ボタンを介して前記カメラ・モードと前記通信モードとの間でトグルすることを含む、請求項３１に記載の方法。
【請求項３４】
前記カメラ・モード及び前記通信モードのうちの１つを選択的に活性化することは、前記ハウジングに配置されたスイッチを活性化することを含む、請求項３１に記載の方法。
【請求項３５】
前記カメラ・モード及び前記通信モードのうちの１つを選択的に活性化することは、前記ハウジングに配置された移動可能構成要素の位置を検出することを含む、請求項３１に記載の方法。
【請求項３６】
移動可能構成要素の前記位置を検出することは、前記ハウジング上のカメラ・レンズを覆うスライドするパネルの位置を検出することを含む、請求項３５に記載の方法。
【請求項３７】
前記スライドするパネルの前記位置を検出することは、前記カメラ・モードを活性化するために前記スライドするパネルの開位置を検出することと、前記通信モードを活性化するために前記スライドするパネルの閉位置を検出することとを含む、請求項３６に記載の方法。
【請求項３８】
前記カメラ・モード及び前記通信モードのうちの１つを選択的に活性化することは、前記ハウジング内に配置された方向センサが実質的に垂直の方向又は実質的に水平の方向を検出するように前記ハウジングを回転することを含む、請求項３１に記載の方法。
【請求項３９】
前記実質的に垂直の方向を検出することは、前記通信モードを活性化し、前記実質的に水平の方向を検出することは、前記カメラ・モードを活性化する、請求項３８に記載の方法。
【請求項４０】
通信機能を制御するのに前記多機能制御ボタンを使用することは、音量制御ボタンとして前記多機能制御ボタンを使用することを含む、請求項３１に記載の方法。
【請求項４１】
通信機能を制御するのに前記多機能制御ボタンを使用することは、前記組合せ移動体通信デバイス及びカメラの表示画面を制御するのに前記多機能制御ボタンを使用することを含む、請求項３１に記載の方法。
【請求項４２】
前記カメラ・モードは、イメージ取込モード及びレビュー・モードを含む、請求項３１に記載の方法。
【請求項４３】
前記イメージ取込モードである時に、前記組合せ移動体通信デバイス及びカメラの表示画面に表示された外部イメージのサイズを変更するために、前記カメラ用部品のズーム制御ボタンとして前記多機能制御ボタンを使用することをさらに含む、請求項４２に記載の方法。
【請求項４４】
前記レビュー・モードである時に、前記組合せ移動体通信デバイス及びカメラの表示画面に表示された保管されたイメージのサイズを変更するために、前記カメラ用部品のズーム制御ボタンとして前記多機能制御ボタンを使用することをさらに含む、請求項４２に記載の方法。
【請求項４５】
通信機能を制御するのに前記多機能制御ボタンを使用することは、メニュー制御ボタンとして前記多機能制御ボタンを使用することを含む、請求項３１に記載の方法。
【請求項４６】
通信機能を制御するのに前記多機能制御ボタンを使用することは、前記通信回路に関連する通信品質を制御するのに前記多機能制御ボタンを使用することを含む、請求項３１に記載の方法。
【請求項４７】
前記通信品質を制御することは、通信データ速度を制御することを含む、請求項４６に記載の方法。
【請求項４８】
前記通信品質を制御することは、通信変調技法を制御することを含む、請求項４６に記載の方法。
【請求項４９】
前記多機能制御ボタンを使用することは、さらに、前記多機能制御ボタンの選択オプションを活性化することを含む、請求項３１に記載の方法。
【請求項５０】
前記カメラ・モードで前記選択オプションを活性化することは、シャッタ制御ボタンを活性化する、請求項４９に記載の方法。
【請求項５１】
前記カメラ・モードで前記選択オプションを活性化することは、前記通信回路を介するイメージの伝送を活性化する、請求項４９に記載の方法。
【請求項５２】
前記通信モードで前記選択オプションを活性化することは、通信機能を選択する、請求項４９に記載の方法。
【請求項５３】
前記カメラ・モードである時にディジタル・ズーム制御ボタンとして前記多機能制御ボタンを使用することをさらに含む、請求項３１に記載の方法。
【請求項５４】
前記カメラ・モードである時に光学ズーム制御ボタンとして前記多機能制御ボタンを使用することをさらに含む、請求項３１に記載の方法。
【請求項５５】
前面、背面、及び側面を含むハウジングと、
通信モードである時に信号を送信し、受信する、前記ハウジング内に配置された通信回路と、
カメラ・モードである時にイメージを選択的に取り込み、表示し、保管し、操作する、前記ハウジング内に配置されたカメラ用部品であって、ズーム機能を含む、カメラ用部品と、
前記カメラ・モードである時に前記カメラ用部品の前記ズーム機能を制御し、前記通信モードである時に前記通信回路に関連する音量を制御する、前記ハウジングの前記側面の１つに配置された多方向制御ボタンと
を含み、前記多方向制御ボタンは、さらに、前記イメージの焦点を識別し、選択し、前記選択された焦点を中心とする前記イメージのサイズを変更するように動作し、
前記通信モード及び前記カメラ・モードを選択的に活性化する、前記ハウジングの前記背面のカメラ・レンズを覆うスライドするパネルの位置を検出する検出回路
を含む、カメラ付き携帯電話機。